(57)【要約】【課題】  ベッド上に置いた状態で握ることをしなくても、安定した状態を維持して簡易な操作で呼び出しできる呼び出しボタン装置を提供する。【解決手段】  押下操作するボタン部１が掌サイズで形成されて、円盤状に形成されて略平坦な背面を有するボタンケース２に収容され、ボタン部１の背部にスイッチ部３を配置する一方、ボタンケース２の基台２ｂ底部に、ボタン部１との間でコイルバネ１７を挟持する支持基板１１を位置変更可能に係止する保持枠１３を設け、基台２ｂに支持基板１１を操作するための窓１２を開口形成した。【選択図】  図８
2014054446.tif 000002
【特許請求の範囲】
【請求項１】
押下操作するボタン部と、前記ボタン部の押下を受けてオン動作するスイッチ部とを有し、ベッド上の患者が看護師を呼び出すための呼出ボタン装置であって、
前記ボタン部は、円盤状に形成されて略平坦な背面を有するボタンケースの前面に配置され、
前記ボタン部に押下力を付与する弾性部材と、前記押下力を変更する弾性変更手段とを前記ボタンケースに設けたことを特徴とする呼出ボタン装置。
【請求項２】
前記弾性部材がコイルバネであって、前記弾性変更手段が前記コイルバネの端部を支持する支持基板であり、前記ボタン部と前記支持基板とで前記コイルバネが圧縮支持され、
前記ボタンケースに、前記支持基板の位置を前記コイルバネの軸方向に移動した複数位置で支持する保持枠を設けると共に、前記支持基板の移動を操作するための操作窓を設けたことを特徴とする請求項１記載の呼出ボタン装置。
【請求項３】
前記ボタン部は、背部に前記スイッチ部を収容したスイッチケースを有すると共に、前記スイッチ部を動作させるスイッチ片が前記スイッチケースの側方に突出して配置される一方、
前記ボタンケースは、前記ボタン部を位置決めするリブを複数有し、少なくとも一対の前記リブが前記スイッチケースを挟持するように配置され、
スイッチケースを挟持するよう配置した前記一対のリブが、前記ボタン部の押下操作を受けて前記スイッチ片に当接するスイッチ操作リブであることを特徴とする請求項１又は２記載の呼出ボタン装置。
【請求項４】
前記ボタンケースの背面にはベルト挿通部が形成され、ベルトを装着することで、手摺り等の棒状体に固定可能であることを特徴とする請求項１乃至３の何れかに記載の呼出ボタン装置。
【請求項５】
前記ボタン部の操作面は、略拳サイズの径を有することを特徴とする請求項１乃至４の何れかに記載の呼出ボタン装置。
【発明の詳細な説明】
【技術分野】
【０００１】
本発明は、病室のベッド上の患者が看護師を呼び出すために操作する呼出ボタン装置に関する。
【背景技術】
【０００２】
ナースコール装置に接続されて、ベッド上の患者が看護師を呼び出す際に操作する呼出ボタンは、把持する胴部を有してその頂部に押しボタンを備えた形状のものが普及している。このような呼出ボタンは、胴部を把持して親指等で押しボタンを押下して呼び出しが成される。
一方で、この把持して呼出操作する構成の呼出ボタンは、手を怪我していたり手に障害のある患者に対しては操作が難しい場合があり、このような患者に対しては別途呼出装置が適用された。例えば、特許文献１では、上記呼出ボタンに呼出ボタン全体を覆うアタッチメントを装着して、ベッド上に載置した状態でアタッチメントの操作部を掌等で押圧することで呼出ボタンの押下を可能とし、把持すること無く押しボタンの押下操作を可能とした。
【先行技術文献】
【特許文献】
【０００３】
【特許文献１】特開２００８−１１９２００号公報
【発明の概要】
【発明が解決しようとする課題】
【０００４】
上記特許文献１の構成の場合、従来の呼出ボタンを利用するため安価に構成することができる。しかしながら、呼出ボタンを間接的に押下操作する構成であるため、確実に呼び出しできたか不安感を抱きやすかった。また、元々小さな押しボタンを、押圧力を変えずに掌等で操作できる大きな面積の操作部に変更するため、押しボタンを直接押下する場合に比べて僅かな力での押下が可能となり、間違って押下操作してしまう場合が発生しやすかった。
更に、ベッド上は平坦であっても不安定な場所であるため、アタッチメント自体が横転してしまう場合があった。
【０００５】
そこで、本発明はこのような問題点に鑑み、ベッド上に置いた状態で握ることをしなくても呼出操作し易い呼出ボタン装置を提供することを目的としている。
【課題を解決するための手段】
【０００６】
上記課題を解決する為に、請求項１の発明は、押下操作するボタン部と、ボタン部の押下を受けてオン動作するスイッチ部とを有し、ベッド上の患者が看護師を呼び出すための呼出ボタン装置であって、ボタン部は、円盤状に形成されて略平坦な背面を有するボタンケースの前面に配置され、ボタン部に押下力を付与する弾性部材と、押下力を変更する弾性変更手段とをボタンケースに設けたことを特徴とする。
この構成によれば、ボタン部は平坦な背面を有するボタンケースに収容されるため、ベッド上に置くことが可能となり、指先の操作が難しい患者や握力の弱い患者であっても、握ることなく呼出操作をスムーズに実施できる。然も、ボタン部の押下力を変更できるため、患者の使用形態に合わせて調整でき、誤操作を防止できる。
【０００７】
請求項２の発明は、請求項１に記載の構成において、弾性部材がコイルバネであって、弾性変更手段がコイルバネの端部を支持する支持基板であり、ボタン部と支持基板とでコイルバネが圧縮支持され、ボタンケースに、支持基板の位置をコイルバネの軸方向に移動した複数位置で支持する保持枠を設けると共に、支持基板の移動を操作するための操作窓を設けたことを特徴とする。
この構成によれば、ボタン部の押下力の変更操作は、支持基板の位置を操作窓を介して変更操作することで実施できるため、簡易な構成で実施できる。
【０００８】
請求項３の発明は、請求項１又は２に記載の構成において、ボタン部は、背部にスイッチ部を収容したスイッチケースを有すると共に、スイッチ部を動作させるスイッチ片がスイッチケースの側方に突出して配置される一方、ボタンケースは、ボタン部を位置決めするリブを複数有し、少なくとも一対のリブがスイッチケースを挟持するように配置され、スイッチケースを挟持するよう配置した一対のリブが、ボタン部の押下操作を受けてスイッチ片に当接するスイッチ操作リブであることを特徴とする。
この構成によれば、ボタン部を位置決めするリブがスイッチ部を操作するスイッチ操作部材でもあるため、専用のスイッチ操作部材を設ける必要がない。
【０００９】
請求項４の発明は、請求項１乃至３の何れかに記載の構成において、ボタンケースの背面にはベルト挿通部が形成され、ベルトを装着することで、手摺り等の棒状体に固定可能であることを特徴とする。
この構成によれば、ベッド上等に載置できない状況では、ベルトを用いてベッド枠等に容易に固定でき、設置場所を広く選択できる。
【００１０】
請求項５の発明は、請求項１乃至４の何れかに記載の構成において、前記ボタン部の操作面は、略拳サイズの径を有することを特徴とする。
この構成によれば、ボタン部が拳程度の大きさを有するため、ボタン部を収容するボタンケースも大きく安定したサイズとなり、ベッド上であっても安定した状態を維持できる。然も、掌や拳による呼出操作がし易い。
【発明の効果】
【００１１】
本発明によれば、ボタン部は平坦な背面を有するボタンケースに収容されるため、ベッド上に置くことが可能となり、指先の操作が難しい患者や握力の弱い患者であっても、握ることなく呼出操作をスムーズに実施できる。然もボタン部の押下力を変更できるため、患者の使用形態に合わせて調整でき、誤操作を防止できる。
そして、ボタン部を拳程度の大きさとすることで、ボタンケースも大きく安定したサイズとなり、ベッド上であっても安定した状態を維持でき、掌や拳による呼出操作がし易い。
【図面の簡単な説明】
【００１２】
【図１】本発明に係る呼出ボタン装置の一例を示す斜視図である。
【図２】図１の呼出ボタンを後方から見た斜視図である。
【図３】ボタン部単体を示し、（ａ）は前方から見た斜視図、（ｂ）は後方から見た斜視図である。
【図４】ボタンケース基台の斜視図であり、（ａ）は全体図、（ｂ）はＡ部拡大図である。
【図５】支持基板を装着した状態の基台の斜視図である。
【図６】支持基板の位置を変更した基台の斜視図である。
【図７】図５の状態の呼出ボタン装置の背面図である。
【図８】Ｂ−Ｂ線断面図である。
【図９】図６の状態の呼出ボタン装置の背面図である。
【図１０】Ｃ−Ｃ線断面図である。
【図１１】ボタン部が押下された状態の断面図であり、（ａ）は全体図、（ｂ）はＤ部拡大図である。
【図１２】支持基板の説明図であり、（ａ）はバネ当接面側斜視図、（ｂ）は操作面側斜視図である。
【発明を実施するための形態】
【００１３】
以下、本発明を具体化した実施の形態を、図面を参照して詳細に説明する。図１，図２は本発明に係る呼出ボタン装置の一例を示す外観図であり、図１は前方から見た斜視図、図２は後方から見た斜視図である。１は押下操作するボタン部、２はボタン部１を収容するボタンケースであり、円盤状のボタンケース２の前面中央に円形のボタン部１が配置されている。ボタンケース２は、呼出ボタン１を収容する収容枠２ａと、平坦な背面を有してベッド上等の平坦な部位で安定した状態を維持できる基台２ｂとで構成されている。また、背面にはベルト（図示せず）を挿通する挿通孔１０が４箇所設けられ、十字状にベルトを挿通可能としている。
【００１４】
図３はボタン部１単体を示し、（ａ）は前方から見た斜視図、（ｂ）は後方から見た斜視図である。操作面１ａは球面状に膨らみを持たせて形成され、背面には呼出信号を出力するスイッチ部３が組み付けられている。スイッチ部３は、スイッチケース４に収納され、スイッチケース４の左右側部には、スイッチ部３をオン／オフ動作させる操作片３ａが露出している。このボタン部１は、掌や拳で容易に押下操作できる寸法で形成され、例えば９ｃｍの直径で形成されている。また呼出ボタン装置全体では直径１５ｃｍで形成されている。
【００１５】
尚、５は後述するコイルバネ１７の一端を支持する当接板であり、スイッチケース４の背部に設けられている。当接板５は、ボタン部１背面にネジ止め固定される。また、スイッチケース４内にはスイッチ部３に加えて、無線発信回路（図示せず）が組み込まれており、スイッチ部３のオン動作を受けて呼出信号を生成し、別途ベッド近傍に設置された受信装置に呼出信号を送信するよう構成されている。
【００１６】
図４は基台２ｂの内部構成を示す斜視図であり、（ａ）は全体図、（ｂ）はＡ部拡大図である。図４に示すように、基台２ｂは、中央に円形の窓（操作窓）１２が開口形成され、操作窓１２の周囲には後述する支持基板１１を保持するための保持枠１３が筒状に形成されている。操作窓１２は、ボタン部１を押下する際の押圧力を調整するための窓である。
また、保持枠１３を中心にその周囲には、ボタン部１を位置決めすると共に回転を禁止させる位置決めリブ１５が形成されているし、周囲４隅には基台２ｂを収容枠２ａにネジ止めするための透孔１６ａを頂部に有する柱状突起１６が形成されている。
【００１７】
ここで支持基板１１を説明する。図５は支持基板１１を装着した状態の基台２ｂの斜視図を示し、図１２は支持基板１２の説明図である。図１２（ａ）はバネ当接面側斜視図、図１２（ｂ）は操作面側斜視図である。支持基盤１１はボタン部１の押下力を調整する部材であり、図５に示すように保持枠１３に装着され、この支持基板１１の背面が操作窓１２から露出される。
この支持基板１１は、図１２に示すように円盤形状を成して直径方向の両端には保持枠１３に係止する係止片１１ａが突設されている。そして、前面には後述するコイルバネ１７の後端を保持する保持突起１１ｂが形成され、背面には長方形状の操作溝１１ｃが凹設されている。
【００１８】
次に、保持枠１３の構造を具体的に説明する。図４（ｂ）に示すように、保持枠１３には支持基板１１を保持固定するための溝（保持溝）１４が設けられ、２組計４個の溝１４（１４ａ，１４ａ，１４ｂ，１４ｂ）が形成されている。組を成す溝１４は、保持枠１３の直径方向に対向するよう配置されている。一方の組（第１の組）の溝１４ａ，１４ａは基台２ｂの底面となる低い位置まで切り込まれて形成され、他方の組（第２の組）の溝１４ｂ，１４ｂはその位置に対して所定距離嵩上げされた前方に配置されている。
また、一方の溝１４ａと他方の溝１４ｂとの間の保持枠１３の所定部位には、支持基板１１を移動させる際に、高く形成して支持基板１１が外れないよう案内する案内壁１３ａが設けられ、案内壁１３ａの先端には抜けを防止する係止突起１３ｂが内側に突設されている。
【００１９】
図６は支持基板１１の位置を変更した状態を示し、図５では第１の組の溝１４ａに支持基板１１を保持させているのに対し、図６では第２の組の溝１４ｂに保持させた状態を示している。
【００２０】
位置決めリブ１５は、互いに対向するよう配置した２組のリブ（第１の組のリブ１５ａ，１５ａと第２の組のリブ１５ｂ，１５ｂ）で構成され、この２組のリブは互いに直交するように配置されている。第１の組のリブ１５ａ，１５ａは、スイッチケース４の側部に係合するよう配設され、更に先端がスイッチ部３の操作片３ａの背部に位置するよう形成されている。この結果、第１の組のリブ１５ａ，１５ａはスイッチ部３を動作させるスイッチ操作部材でもあり、ボタン部１を押下操作した際に操作片３ａに当接してスイッチ部３がオン動作するよう形成されている。
尚、第２の組のリブ１５ｂ，１５ｂは、当接板５を挟持するよう配置されている。
【００２１】
図７は支持基板１１が第１の組の溝１４ａ，１４ａに保持された図５の状態の呼出ボタン装置の背面図であり、図８は図７のＢ−Ｂ線断面図を示している。図８に示すように、呼出ボタン装置の中央にはコイルバネ１７が前後方向に配置されて、その一端はボタン部１の背部に配置された当接板５に支持され、他端は支持基板１１に支持されている。このコイルバネ１７によりボタン部１は前方へ付勢される。
【００２２】
図９は支持基板１１の位置を変更して、支持基板１１が第２の組の溝１４ｂ、１４ｂに保持された図６の状態の呼出ボタン装置の背面図を示している。そして、図１０は図９のＣ−Ｃ線断面を示している。図１０に示すように、支持基板１１を第２の組の溝１４ｂ，１４ｂに配置した状態では、コイルバネ１７が第１の組の溝１４ａ，１４ａに配置した状態に比べて更に圧縮される。
【００２３】
こうしてボタン部１の押下力を２段階に調整でき、低い位置に支持基板１１を配置した状態（第１の状態）は、コイルバネ１７は僅かに圧縮された状態で保持され、比較的弱い力でボタン部１を押下できる。そして、高い位置に支持基板１１を配置した状態（第２の状態）では、ボタン部１の押下操作は比較的強い力が必要となる。
【００２４】
支持基盤１１の第１の状態と第２の状態の変更は、基台２ｂの操作窓１２から操作でき、露出した支持基板１１を押し込むと共に回転操作することで実施される。具体的に、図７に示すように、操作窓１２には操作溝１１ｃが露出した状態にあり、この操作溝１１ｃに例えば硬貨の端部を係合させて、押し込みながら回転させる。こうすることで、最初に支持基板１１の係止片１１ａを保持している第１の組の溝１４ａとの係合が解除される。そして、回転操作で第２の組の溝１４ｂ上に移動させる。その後、押し込み操作を解除すれば第２の組の溝１４ｂに入り込んで保持される。こうして支持基板１１の高さ（前後位置）が変更される。
【００２５】
このように、ボタン部１が拳程度の大きさを有するため、掌や拳により呼出操作し易い。また、ボタン部１は平坦な背面を有するボタンケース２に収容されるため、ベッド上であっても安定した状態を維持でき、指先の操作が難しい患者や握力の弱い患者であっても、呼出操作をスムーズに実施できる。然もボタン部１の押下力を変更できるため、患者の使用形態に合わせて調整でき、誤操作を防止できる。
また、押下力の変更操作は、支持基板１１の位置を操作窓１２を介して変更操作することで実施できるため、簡易な構成で実施できる。
更に、ベッド上等に載置できない状況では、ベルトを挿通してベッド枠等に容易に固定でき、設置場所を広く選択できる。
【００２６】
ここで、上記の如く構成された呼出ボタン装置の動作を説明する。図１１はボタン部１が押下された状態の断面図であり、（ａ）は全体図、（ｂ）はＤ部拡大図を示し、図８に対応する断面で示している。図１１に示すように、ボタン部１が押下されると、操作片３ａ背部の近接した位置に配置されているスイッチ操作リブ１５ａの先端に当接し、スイッチ操作リブ１５ａが操作片３ａを図１１（ｂ）の矢印で示す前方へ押圧する。その結果、操作片３ａが相対的に前方に移動する。この移動により、スイッチケース４内のスイッチ部３がオン動作して呼出信号が出力される。
【００２７】
このように、ボタン部３を位置決めする一対のリブ１５ａ，１５ａがスイッチ部３を操作するスイッチ操作部材であり、専用の操作部材を設ける必要がない。
【００２８】
尚、上記実施形態では、ボタン部１の押下力を２段階に変更可能としてるが、保持枠１３に溝１４を３組設ければ３段階の調整が可能であるし、４組設ければ４段階の調整が可能となる。
また、ボタン部１の直径を９ｃｍとしているが、６ｃｍ程度の直径があれば、ベッド上に置いた状態で掌や拳、更には肘により押下操作を引き続き容易に実施できる。但し、拳に近い９ｃｍ程度の直径とすれば、ボタン部１押下時にボタンケース２内に押下面が入り込む構成の場合でも良好に操作することができる。
更に、呼出ボタン装置全体の直径を１５ｃｍとしているが、ベッド上に置いた呼出ボタン装置が安定した状態を維持するには、全体の直径は少なくとも１２ｃｍ程度はあった方がよい。
【符号の説明】
【００２９】
１・・ボタン部、２・・ボタンケース、２ａ・・収容枠、２ｂ・・基台、３・・スイッチ部、３ａ・・操作片、４・・スイッチケース、１０・・挿通溝（ベルト挿通部）、１１・・支持基板、１１ｃ・・操作溝（操作部）、１２・・操作窓、１３・・保持枠、１４・・溝、１５・・位置決めリブ、１５ａ・・リブ（スイッチ操作リブ）、１７・・コイルバネ。
【図１】
2014054446.tif 000003
【図２】
2014054446.tif 000004
【図３】
2014054446.tif 000005
【図４】
2014054446.tif 000006
【図５】
2014054446.tif 000007
【図６】
2014054446.tif 000008
【図７】
2014054446.tif 000009
【図８】
2014054446.tif 000010
【図９】
2014054446.tif 000011
【図１０】
2014054446.tif 000012
【図１１】
2014054446.tif 000013
【図１２】
2014054446.tif 000014